(57)【要約】      （修正有）【課題】実際に可燃物を燃焼させた標的に代わる初期消火において、重要な正しい放射位置を習得させ得る消火器放射訓練用標的器を提供する。【解決手段】消火器放射訓練用標的器の本体２は狙いやすいように適度に傾いている。本体内部下側に貯水可能な数枚の羽根、あるいは、水が溜まる窪み等と、放射後に溜まった水が抜ける穴を設けた水圧と水の重さによって回転する下部回転ドラム１１、本体内部上側には模擬火炎表示シートの回転をスムーズにさせるための上部回転ドラム７を設ける。上部回転ドラムと下部回転ドラムを架け渡し周回した通水可能な隙間３を開けた模擬火炎表示シート６が標的部として備えてあり、シート前面側は常に付勢手段によりに上方に引かれている。【選択図】図２
0003159717.tif 000002
【実用新案登録請求の範囲】
【請求項１】
消火器による消火訓練において使用される放射訓練用標的器であって、放射水が通る開口部が下部にある本体と、本体内部下側に貯水可能な構造部を具備する水圧と水の重さによって回転する下部回転ドラムと、更に本体内部上側には模擬火炎表示シートの回転をスムーズにさせるための上部回転ドラムを設け、上部回転ドラムと下部回転ドラムに架け渡し周回させた通水可能な隙間を開けた模擬火炎表示シートが標的部として備えてあり、更に当該模擬火炎表示シートにおける開口部に対向する前面側を上方に引き上げる向きに付勢する付勢手段を具備することを特徴とした消火器放射訓練用標的器。
【請求項２】
模擬火炎表示シートは柔軟な素材からなり、標的表示として火炎や火煙、または絵柄や図形が施されており、消火器から放射された水が通過するための縦、又は、メッシュ状の隙間が開いていることを特徴とする請求項１に記載の消火器放射訓練用標的器。
【請求項３】
前記構造部は下部回転ドラムに設けた複数枚の羽根であり、各羽根には放射されて溜まった水が抜け落ちる水抜き穴が設けてあることを特徴とする請求項１に記載の消火器放射訓練用標的器。
【請求項４】
前記付勢手段は、模擬火炎表示シート又は上部回転ドラムに吊り下げられて模擬火炎表示シートの前面側を上方に引き上げる重さ調整可能な重りである請求項１に記載の消火器放射訓練用標的器。
【請求項５】
前記本体内の下部回転ドラムの上方には、放射水が当該ドラムに掛からないようにスライドパネルが設けられており、当該パネル上を通過した水が下部回転ドラムを回転させることなく本体後方に流れ落ち、もしくは、スライドパネルを調整し下部回転ドラム後方側に流れ落とすことにより、当該ドラムを逆回転させ、模擬火炎表示シート前面側を上げるように作用することを特徴とする請求項１に記載の消火器放射訓練用標的器。
【請求項６】
本体正面下部には、鍋、若しくは薪をイメージする絵柄の表示がなされていることを特徴とする請求項１に記載の消火器放射訓練用標的器。
【考案の詳細な説明】
【技術分野】
【０００１】
本考案は初期消火訓練装置に関し、水消火器を用いて初期消火訓練を行う際に使用される標的器で、実際に可燃物を燃焼させ訓練することなく適切な消火位置を習得させるための擬似火災装置である。
【背景技術】
【０００２】
従来の粉末消火器を操作する消火訓練では、外で容器に灯油等を入れて燃焼させ、粉末消火器を放射し消火の体験と消火器操作方法の習得を行っていたが、消火薬剤費用削減と、消火薬剤の飛散で環境汚染を避けるため、水を利用した訓練用消火器を使用するようになってきた。その標的器としては下記文献がある。
【０００３】
特開昭６０−２６０９８３号（特許文献１）に開示された模擬消火訓練装置が知られている。これは実際の消火器を用いず、制御装置ＰＣＢ、超音波装置を装備した模擬消火器を使用してブロアボックス上に係止した複雑な構成の模擬火炎と、センサー、制御ボックス、消火音・効果音発生回路等多様な機構によりなる火災表示器に超音波を発射して消火訓練を行うものである。
【０００４】
又、特開２００１−５７５号（特許文献２）に開示された消防士による消火訓練方法とその訓練用具が知られている。これは４本の脚の上に円盤状に成形した標的部があり、更に前記標的がホース先端部から放水される水圧により後方へ９０度倒れるように構成されている。又、その標的部は円形回転羽根を装着出来る標的器である。
【０００５】
又、実用新案登録第３１２０５７０号公報（特許文献３）に開示された消火訓練用標的器が知られている。これはフロアプレート、ポール、火炎表示プレートとからなる標的器で、フロアプレートの底面には標的器の転倒時に消火が成功したことを意味する成功表示が施してある。これにより標的器の転倒に伴って、底面に施された成功表示が表示される標的器である。
【０００６】
又、特開平１０−１１１６４０号公報（特許文献４）に開示された水消火器を使用して行う消火訓練自動指導システムが知られている。赤色回転灯、模擬炎パネル、レベルセンサー、電磁弁を備えた小型水溜槽、音声合成ユニット、スピーカから構成された電源を使用したもので、電源を入れることにより、赤色回転灯が始動、模擬炎が炎上拡大し火災擬音を発すると同時に、消火手順が放送され、水消火器を使用して実際に上記模擬炎に向けて水を放射させることにより模擬消火する消火訓練自動指導システムである。
【０００７】
更に、本願出願人がすでに開発した実願２００８―６８４６号公報（実用新案登録第３１４７６４４号）（特許文献５）に開示されている「消火器放射訓練用標的器」が存する。これは正面パネル、標的部である適度に隙間が開いた模擬火炎表示シート、水を受ける羽根軸、模擬火炎が表示されたシート巻取り軸、シートを戻すための重りからなる標的器で、放射された水は模擬火炎シートの隙間を通過し、裏側の羽根軸に当たり、回転する、チェーンで連動した巻取り軸が回転し、下部が固定された模擬火炎シートが下げられる。標的部下部に放射水を受ける開口部が設けてあるため、自然に火源を狙う正しい放射位置が身に付く標的器である。
【先行技術文献】
【特許文献】
【０００８】
【特許文献１】特開昭６０−２６０９８３号公報
【特許文献２】特開２００１−５７５号公報
【特許文献３】実用新案登録第３１２０５７０号公報
【特許文献４】特開平１０−１１１６４０号公報
【特許文献５】実用新案登録第３１４７６４４号公報
【考案の概要】
【考案が解決しようとする課題】
【０００９】
特許文献１においては、粉や水が放射されることがなく超音波を使用したもので、実感の湧かない緊迫感がない課題がある。
【００１０】
特許文献２特許文献３においては、消火器用の標的器はあるが、倒れたり回転するだけであり、消火器そのものの操作訓練になるが、実際の火炎を消すような感覚は味わえないという課題がある。
【００１１】
特許文献４においては、高額になる構造であり、可搬式とはいえ、使い勝手に欠ける課題がある。
【００１２】
特許文献５の本願出願人がすでに開発した標的器は、製造される各メーカーの水消火器の違いによって、水圧だけで本体後方の羽根軸を回転させることが難しく、よって模擬火炎表示シートを下げることが出来にくい欠点があつた。
【００１３】
本考案は、上記のような従来課題を解決すべくなされたもので、実火炎を消火した時と同等の火炎の元を消火する体感を得られる標的器を提供することを目的とする。
【課題を解決するための手段】
【００１４】
前記目的を達成するために、本考案は、狙いやすいように適度に傾いた本体とその内部下側に貯水可能な複数枚の羽根、もしくは、水が溜まる窪み等を具備する水圧と水の重さによって回転する下部回転ドラムと、本体内部上側には模擬火炎表示シートの回転をスムーズにさせるための上部回転ドラムを設け、上部回転ドラムと下部回転ドラムを架け渡し周回した通水可能な隙間を開けた模擬火炎表示シートが標的部として備えてあり、更に上部回転ドラムを介して吊り下がっている重りの作用により、常に上方に引かれている状態としたものである。
【００１５】
放射水を受ける本体は、上部・中部・下部の放射位置の違いにより模擬火炎表示シートの動きが変わるようになっており、具体的には、上部である上段パネルに当たった水は下部回転ドラムを回すことなく、本体内部後方に流れ落ちるようになっており、中部である下段パネルに当たった水は下部回転ドラムに流れ落ち水の重さにより回転させる。下部に当てた水は水圧と水の重さにより更にドラムを速く回転させる。
【００１６】
模擬火炎表示シートは柔軟な素材からなり、標的表示として火炎や火煙、または絵柄や図形が施されており、消火器から放射された水が通過するための縦、又は、メッシュ状等の隙間が適度に開いている。
【００１７】
下部回転ドラムの各羽根には水抜き穴が設けてあることにより、放射されて溜まった水は抜け落ち、軽くなり模擬火炎表示シート上部に取付けられた重りの作用により、模擬火炎表示シート前面側が上方に引かれ放射前の状態に戻る。
【００１８】
模擬火炎表示シート上部には、上部回転ドラムを介して重さ調整可能な重りが吊り下がっているが、この重りは、下部もしくは上部回転ドラムそのものに重りを兼ね備えた構造としても良い。さらに、バネ等の不勢手段を使用しても良い。
【００１９】
パネル上部に当たった水は水抜きルートを通過し、少なくとも下部回転ドラムを回転させることなく下方に落ち、もしくは、逆回転させ、模擬火炎表示シート前面側を上げるように作用する。
【００２０】
下部回転ドラムの上に位置するスライドパネルを調整することにより、本体上部に当たり水抜きルートを通過し落下した水は、下部回転ドラムに負荷をかけ、模擬火炎表示シート前面側を下げずらくすることが出来る。なおスライドパネルは下部回転ドラムの上方にあり、放射水が当該ドラムに掛からないように覆うように備えてある。
【００２１】
本体正面下部には、鍋、若しくは薪等をイメージする絵柄の表示がなされている。
【００２２】
水消火器で模擬火炎の下部を狙い、効率の良い初期消火位置を身に付けることが出来る。
【００２３】
本出願人がすでに考案した物と大きく変わった構造としては、水を受けて回転する羽根軸と模擬火炎表示シート巻取り軸を一つにし、下部回転ドラムとしたこと。更に水の重さを利用し当該ドラムを回転させること。模擬火炎表示シートは上部回転ドラムと下部回転ドラムを架け渡し周回させたことである。
【００２４】
これにより、水消火器で標的部である模擬火炎表示シート下部に放射されると、シートの隙間を通過し、本体内部下側に位置する貯水可能な下部回転ドラムに到達する。水の重さと水圧により、当該ドラムは回転する。連動して、上部回転ドラムと下部回転ドラムを架け渡し周回させた模擬火炎表示シート前面側は下に下げられる。
【考案の効果】
【００２５】
本考案によれば、放射される水圧、水量、拡散の幅等が一定でないどのような訓練用放射器具からでも模擬火炎表示シートの隙間を水が通過し、下部回転ドラムをスムーズに回すことが出来、模擬火炎表示シートの上部に当たった水は無効な水として下部回転ドラムを回転させないばかりか、再燃するように下部回転ドラムを逆回転させることも出来る構造であり、火元（下部）に当たると模擬火炎表示シートが下げられ炎が小さくなったように見えるため、実火炎を消火した時と同様に正しい放射位置を身につけることが出来る効果がある。更に、引き下げられた模疑火炎が表示されたシートは、重りや付勢手段により引き上げられ、放射前の状態に戻り次の訓練者に直ちに対応出来る。
【図面の簡単な説明】
【００２６】
【図１】本考案の消火器放射訓練用標的器の使用状態を示した斜視図
【図２】本考案の消火器放射訓練用標的器の斜視図
【図３】本考案の消火器放射訓練用標的器の正面図
【図４】本考案の消火器放射訓練用標的器の右側面図
【図５】本考案の消火器放射訓練用標的器の実施例を示した一部拡大斜視図
【図６】本考案の消火器放射訓練用標的器の実施例を示した一部拡大斜視図
【図７】本考案の消火器放射訓練用標的器の実施例を示した説明図
【図８】従来の消火器放射訓練用標的器の右側面図
【図９】従来の消火器放射訓練用標的器の斜視図
【考案を実施するための形態】
【００２７】
本考案の実施形態を添付図面に基づいて説明する。図２から図７に示すとおり、消火器放射訓練用標的器は本体２、模疑火炎表示シート６、下部回転ドラム１１、上部回転ドラム７、重り１３から構成されている。
【００２８】
本体２は狙いやすいように適度に傾いており、本体内部下側に水が溜まる窪み等、もしくは、貯水可能な複数枚の羽根１２を具備し、各羽根には放射後に溜まった水が抜ける穴が設けてあり、水圧と水の重さによって回転する下部回転ドラム１１、本体内部上側には模擬火炎表示シート６の回転をスムーズにさせるための上部回転ドラム７を設け、上部回転ドラム７と下部回転ドラム１１を架け渡し周回した通水可能な隙間３を開けた模擬火炎表示シート６が標的部として備えてあり、更に上部回転ドラム７を介して吊り下がっている重り１３の作用により、常に当該シート前面側は上方に引かれている状態である。
【００２９】
模疑火炎表示シート６は、表面には赤色や黄色の火炎をイメージした模疑火炎４が表示されおり、放射水が通る隙間３が開いてある。上段パネル８及び下段パネル９の表面には、模疑火炎表示シート６が濡れた場合に表面張力で上段パネル８及び下段パネル９に付かないようにパイプやネット等が適度に設置してある。下部には、鍋や薪をイメージしたイラスト５が表示してある。更に、上段パネル８に当たった水は、無効な水とし水抜きルート１０を通り後方に抜け、下部回転ドラム１１を回さない構造になっている。スライドパネル１５を調整すれば下部回転ドラム１１に無効な水を落とすことにより逆回転させ、まるで炎が再燃するようにできる。水が当たる下部回転ドラム１１は、数枚の水が溜まる羽根１２あるいは窪み等で構成されており、更に水が抜ける穴が開けてある。模疑火炎表示シート６は上部回転ドラム７と下部回転ドラム１１を架け渡し周回している。模擬火炎表示シート６上部には当該シートを上げるための重り１３が上部回転ドラム７を介して吊り下げられている。
【実施例】
【００３０】
以下本考案に係わる消火器放射訓練用標的器の実施例を図面に基づいて詳細に説明する。
【００３１】
図１は本考案の消火器放射訓練用標的器の使用状態を示した斜視図、図２は本考案の消火器放射訓練用標的器を示した斜視図、図３は本考案の消火器放射訓練用標的器を示した正面図、図４は本考案の消火器放射訓練用標的器を示した右側面図、図５、図６は本考案の消火器放射訓練用標的器の実施例を示した一部拡大斜視図、図７は本考案の消火器放射訓練用標的器の実施例を示した説明図、図８は従来の消火器放射訓練用標的器を示した右側面図、図９は従来の消火器放射訓練用標的器を示した斜視図である。
【００３２】
本考案に係わる消火器放射訓練用標的器は図２から図７に示すように、本体２は狙いやすいように適度に傾いており、本体内部下側に水が溜まる窪み、もしくは、貯水可能な複数枚の羽根１２、各羽根１２には放射後に溜まった水が抜ける穴を設けた水圧と水の重さによって回転する下部回転ドラム１１、本体内部上側には模擬火炎表示シート６の回転をスムーズにさせるための上部回転ドラム７を設け、上部回転ドラム７と下部回転ドラム１１を架け渡し周回した通水可能な隙間３を開けた模擬火炎表示シート６が標的部として備えてあり、更に上部回転ドラム７を介して吊り下がっている重り１３により構成されている。
【００３３】
模擬火炎表示シート６は下部回転ドラム１１と、上部回転ドラム７を架け渡し周回しているが、連結はヤイヤーや紐、若しくはシートそのものでも良い。
【００３４】
上段パネル８と下段パネル９の表面には水の作用で模擬火炎表示シート６が前記パネルに付かないようにパイプ若しくはメッシュ状の突起物が施されている。
【００３５】
模擬火炎表示シート６は放射された水が通過し易いように、適度な隙間３が開いている。
【００３６】
模擬火炎表示シート６の上部を上部回転ドラム７を介し重り１３が吊り下がっており、常に模擬火炎表示シート前面側は上方に引かれている状態である。
【００３７】
下部回転ドラム１１の上には放射水が掛からないように、横向きに被さるようにスライドパネル１５が備えてある。
【００３８】
つぎに、本考案に係わる消火器放射訓練用標的器の使用方法について説明する。
【００３９】
訓練用消火器を図１Ｂのように数メートル離れたところから、標的器Ａに向けて放射する。
【００４０】
放射された水は模擬火炎表示シート６の隙間３を通過する。更に下部回転ドラム１１を水圧と水量により回させ、上部回転ドラム７と下部回転ドラム１１を架け渡し周回した模擬火炎表示シート６前面側が下方に下げられ、模擬火炎４が小さくなるように見える。
【００４１】
訓練者が訓練用消火器の放射を止めたり、放射位置を上方図４Ｃを狙ったりすると、重り１３の作用で模擬火炎表示シート６前面側が引き上げられる。
【００４２】
図４Ｃを狙うと、本体２正面上部に位置する上段パネル８に当たり、下部回転ドラム１１の上部に被さるように横向きに設置してあるスライドパネル１５上を本体後部側に流れ落ち下部回転ドラムを回さない。図４Ｄを狙うと下段パネル９に当たり、下に流れ落ち、下部回転ドラムを若干まわす。図４Ｅを狙うと水圧と水の重さにより、下部回転ドラムを勢いよく回転させる。
【００４３】
スライドパネル１５を調整することにより、水抜きルート１０を通過し落下した水が下部回転ドラム１１後方にかかり、負荷をかけることが出来る。
【符号の説明】
【００４４】
１  取手
２  本体
３  隙間
４  模擬火炎
５  鍋表示
６  模擬火炎表示シート
７  上部回転ドラム
８  上段パネル
９  下段パネル
１０  水抜きルート
１１  下部回転ドラム
１２  羽根
１３  重り
１４  脚
１５  スライドパネル
１６  ベルト
１７  重心
１８  正面パネル
１９  模擬火炎表示シート
２０  滑車
２１  模擬火炎
２２  天ぷら鍋のイラスト
２３  入水開口部
２４  重り
２５  羽根軸
２６  ギア
２７  模擬火炎が表示されたシート巻取り軸
２８  チェーン
２９  ワイヤー
３０  重りガイド
３１  隙間
Ａ  標的器
Ｂ  消火訓練者
Ｃ  放水位置１
Ｄ  放水位置２
Ｅ  放水位置３
【図１】
0003159717.tif 000003
【図２】
0003159717.tif 000004
【図３】
0003159717.tif 000005
【図４】
0003159717.tif 000006
【図５】
0003159717.tif 000007
【図６】
0003159717.tif 000008
【図７】
0003159717.tif 000009
【図８】
0003159717.tif 000010
【図９】
0003159717.tif 000011